(57)【要約】【課題】簡単な構成で障子の開閉動作を安全に行える。【解決手段】縦辷り出し窓の障子は、金属縦框におけるハンドルの回動に連動して上下動するスライドバー３１に穴部５５を形成した。穴部５５は拡幅穴部５５ａと縮幅穴部５５ｂとを鍵穴状に形成した。穴部５５に対向する位置に縮幅凸部５６ａと拡幅凸部５６ｂを設けたトリガー部材５６をコイルばね５８で穴部５５の方向に付勢して配置した。縦枠のトリガー部材５６に対向する位置にテーパ面６０ａを有するトリガー受け部６０を設けた。障子の開放位置でスライドバー３１の穴部５５における拡幅穴部５５ａにトリガー部材５６の拡幅凸部５６ｂを嵌入させてハンドルをロックした。障子の閉鎖位置で穴部５５における縮幅穴部５５ｂにトリガー部材５６の縮幅凸部５６ａを嵌入させた。【選択図】図７
2017179894.tif 000002
【特許請求の範囲】
【請求項１】
枠体内に障子を開閉可能に納めた建具のロック装置において、
前記障子は、
穴部が形成されていてハンドルの操作によってスライド移動するスライド部材と、
前記スライド部材の進退位置に応じて前記穴部を通して第一位置または第二位置に嵌入するトリガー部材と、を備え、
前記枠体は、
前記トリガー部材に当接して前記第一位置から第二位置に移動させる受け部を備えており、
前記障子の開放位置で前記トリガー部材は前記穴部に対してロックした前記第一位置にあり、閉鎖位置でロックを解除した前記第二位置にあることを特徴とする建具のロック装置。
【請求項２】
前記トリガー部材は大きさの異なる縮幅凸部と拡幅凸部とを備え、
前記穴部は前記縮幅凸部を嵌入可能な縮幅穴部と前記拡幅凸部を嵌入可能な拡幅穴部を備えており、
前記障子の開放位置で前記トリガー部材の拡幅凸部を前記穴部の拡幅穴部に嵌入した前記第一位置に保持して前記ハンドルを固定するようにした請求項１に記載された建具のロック装置。
【発明の詳細な説明】
【技術分野】
【０００１】
本発明は、例えば縦辷り出し窓や開き窓等の開閉作動する障子を備えた建具のロック装置に関する。
【背景技術】
【０００２】
従来、例えば特許文献１に記載された開口部装置では、枠体と障子に錠機構を備えており、障子の縦框に錠機構として上下動する連動棒と掛り部を備え、枠体の縦枠に掛り部に係脱可能なロック受け部の係止片を備えている。そして、錠機構は連動棒の上下動の軌道に対して進退可能な突没部材を備え、障子の開放状態で突没部材が連動棒の移動軌道上に進出して連動棒の移動を阻止し、障子の閉鎖状態では突没部材は移動軌道上から後退して規制が解除されるようになっている。
これにより、障子の開放状態でハンドルや連動棒が障子の閉鎖位置に誤作動することを防止できるようにしている。
【先行技術文献】
【特許文献】
【０００３】
【特許文献１】特開２００４−１６２４１３号公報
【発明の概要】
【発明が解決しようとする課題】
【０００４】
しかしながら、上述した開口部装置は、ハンドルや連動棒以外に多くの作動用部品を備えているために構造が複雑でロックのための動作も煩雑であるという欠点があった。
【０００５】
本発明は、このような課題に鑑みてなされたものであって、簡単な構成で障子の開閉動作を安全に行えるようにした建具のロック装置を提供することを目的とする。
【課題を解決するための手段】
【０００６】
本発明による建具のロック装置は、枠体内に障子を開閉可能に納めた建具のロック装置において、障子は、穴部が形成されていてハンドルの操作によってスライド移動するスライド部材と、スライド部材の進退位置に応じて穴部を通して第一位置または第二位置に嵌入するトリガー部材と、を備え、枠体はトリガー部材に当接して第一位置から第二位置に移動させる受け部を備えており、障子の開放位置でトリガー部材は穴部に対してロックした第一位置にあり、閉鎖位置でロックを解除した第二位置にあることを特徴とする。
本発明によれば、障子の開放位置でトリガー部材は穴部に対して第一位置でロックするためハンドルや連動棒を固定した状態で開閉移動できると共に、障子の閉鎖位置で受け部によってトリガー部材を第二位置に保持してロック解除するため、ロック装置の構成と動作が簡単である。
【０００７】
また、トリガー部材は大きさの異なる縮幅凸部と拡幅凸部とを備え、穴部は縮幅凸部を嵌入可能な縮幅穴部と拡幅凸部を嵌入可能な拡幅穴部とを備えており、障子の開放位置でトリガー部材の拡幅凸部を穴部の拡幅穴部に嵌入した第一位置に保持してハンドルを固定することが好ましい。
障子の開放位置でハンドルを固定できるため連動棒の作動を阻止して、障子の開閉作動が安全且つ確実に行える。
【発明の効果】
【０００８】
本発明による建具のロック装置は、障子に設けたスライド部材及びトリガー部材と枠体に設けた受け部とによってロックとその解除を行うことができるため障子の開閉操作が安全である上に、構成と操作が簡単で部品数が少なく低コストになるという利点がある。
【図面の簡単な説明】
【０００９】
【図１】本発明の実施形態による縦辷り出し窓の要部縦断面図である。
【図２】図１に示す縦辷り出し窓の要部水平断面図である。
【図３】金属縦框の見込み面に設けたハンドルを示す正面図である。
【図４】図３の金属縦框におけるＡ−Ａ線断面図を示すものであり、（ａ）はハンドル操作前の障子の閉鎖位置を示す図、（ｂ）はハンドル操作後の障子の開放位置を示す図である。
【図５】閉鎖位置と開放位置における金属縦框と小開口規制アームを示す模式図である。
【図６】金属縦框における見込み面と反対側の面に設けたスライドバーの要部を示す図である。
【図７】金属縦框に設けたスライドバーの穴部及びトリガー部材と縦枠に設けた受け部とを示すロック装置の分解説明図である。
【図８】スライドバーの穴部とトリガー部材の進退位置を示す図であり、（ａ）はハンドルの閉鎖位置における穴部とトリガー部材の要部斜視図、（ｂ）はハンドルの開放位置における穴部とトリガー部材の要部斜視図である。
【発明を実施するための形態】
【００１０】
以下、本発明の実施形態による建具のロック装置の一例として縦辷り出し窓について添付図面により説明する。
本発明の実施形態による縦辷り出し窓１は障子の開放位置を所定角度の小開口に制限する小開口制限機構を備えている。この縦辷り出し窓１は、例えばアルミ合金等の金属部材と樹脂部材の複合建具からなっているが、金属部材製の建具や樹脂部材製の建具でもよい。
図１及び図２に示す縦辷り出し窓１は、躯体の開口部にそれぞれアルミ合金及び樹脂からなる上枠３及び下枠４と左右の縦枠５、６とが四角形枠状に形成された枠体７を取り付けている。
枠体７内に開閉可能に納めた障子９は、それぞれアルミ合金と樹脂からなる上框１０及び下框１１と左右の縦框１２，１３とが略四角形枠状に形成された框体１４を有している。框体１４の内部にはパネルとして例えば二層ガラス等の複層ガラスからなるガラスパネル１５を納めている。障子９の吊元は枠体７の見付け方向の一端部である縦枠６近傍に設けられ、その軸線は上下方向に延びて上枠３と下枠４に支持されている。
【００１１】
図１に示す縦辷り出し窓１の縦断面図において、枠体７の上枠３は屋外側に設けたアルミ合金からなる金属上枠３ａと屋内側に設けた樹脂上枠３ｂとが互いに係合されている。下枠４は屋外側に設けたアルミ合金からなる金属下枠４ａと屋内側に設けた樹脂下枠４ｂとが互いに係合されている。
図２に示す横断面図において、吊先側（図２において左側）に設けた縦枠５は屋外側に設けたアルミ合金からなる金属縦枠５ａと屋内側に設けた樹脂縦枠５ｂとが互いに係合されている。吊元側（図２において右側）に設けた縦枠６は屋外側に設けたアルミ合金からなる金属縦枠６ａと屋内側に設けた樹脂縦枠６ｂとが互いに係合されている。
【００１２】
枠体７に納められた障子９の框体１４はそれぞれ屋外側に設けたアルミ合金からなる金属上框１７と金属下框１８と左右の金属縦框１９，２０とで四角形枠状に形成されている。図１に示す金属上框１７と金属下框１８にはガラスパネル１５の上端部と下端部を嵌合するための断面略Ｌ字状のパネル嵌合溝１７ａ、１８ａが形成され、それぞれパッキン２２によってガラスパネル１５の上端部と下端部の両面を保持している。
金属上框１７と金属下框１８に形成したパネル嵌合溝１７ａ、１８ａの屋内側にはパッキン２２を介してガラスパネル１５の屋内側の側面を押圧保持するための上部押縁２４、下部押縁２５がそれぞれ取り付けられている。なお、金属下框１８のパネル嵌合溝１８ａの下部には中空のホロー部１８ｂが形成されている。
【００１３】
上部押縁２４は互いに係合する金属押縁片２４ａと樹脂押縁片２４ｂとが一体化されている。金属押縁片２４ａはパッキン２２を介してガラスパネル１５を押圧し、パネル嵌合溝１７ａと共に断面略コの字状を形成してガラスパネル１５を保持する。同様に下部押縁２５も金属押縁片２５ａと樹脂押縁片２５ｂが互いに係合して一体化されている。パネル嵌合溝１８ａと金属押縁片２５ａとで断面略コの字状とされてガラスパネル１５を保持する。そのため、上框１０は金属上框１７と上部押縁２４で構成され、下框１１は金属下框１８と下部押縁２５で構成されている。
【００１４】
図２において、左側の金属縦框１９にはガラスパネル１５の左側端部を受けるための断面略コの字状のパネル嵌合溝１９ａが形成され、パッキン２２を介してガラスパネル１５の左側端部の両面を保持している。
右側の金属縦框２０にはガラスパネル１５の右側端部を嵌合するための断面略Ｌ字状のパネル嵌合溝２０ａが形成され、パッキン２２によってガラスパネル１５の右側端部の両面を保持している。金属縦框２０に形成した断面略Ｌ字状のパネル嵌合溝２０ａの屋内側にはパッキン２２を介してガラスパネル１５を押圧保持するための縦部押縁２８が取り付けられている。
この縦部押縁２８も金属押縁片２８ａと樹脂押縁片２８ｂが互いに係合して一体化されている。金属押縁片２８ａとパネル嵌合溝２０ａとで断面略コの字状とされてガラスパネル１５を保持する。
【００１５】
図２で、左側の金属縦框１９に形成した断面略コの字状のパネル嵌合溝１９ａの屋内側には複数のホロー部を有する金属縦框１９が平面視略Ｌ字状に屈曲して延びてハンドル受け部１９ｂが形成されている。このハンドル受け部１９ｂの見込み面１９ｂａにはグレモン錠のハンドル３０が取り付けられている。ハンドル受け部１９ｂには見込み面１９ｂａを除いて屋内側見付け面を覆う樹脂縦框２７が係合されている。
【００１６】
図３は吊先側の縦框１２におけるハンドル受け部１９ｂの正面図であり、図４（ａ）、（ｂ）は図３における金属縦框１９のＡ−Ａ線断面図である。なお、図４において図２に示すハンドル受け部１９ｂの肉厚部分は省略されている。図２及び図４に示す金属縦框１９において、屋内側に設けたハンドル受け部１９ｂの見込み面１９ｂａ側に上下方向に延びる略四角形筒状をなす中空ホロー部３２と中空枠部３３とが配列されている。
中空枠部３３は図２及び図４に示すように金属縦框１９の断面略コの字状の枠部１９ｃに断面略コの字状のスライドバー３１が対向して摺動可能に嵌合されて中空に構成されている。スライドバー３１のハンドル３０に対向する位置には断面略コの字状のスライダー３４が嵌合されて中空に構成されている。スライダー３４については後述する。
なお、金属縦框１９において、ハンドル３０側に設置された中空ホロー部３２は室内側に連通して内圧で満たされた内圧空間Ｐを形成し、中空枠部３３は縦枠５に連通して外気で満たされた外圧空間Ｑを形成している。
【００１７】
図４において、ハンドル３０は操作部３０ａに対して屈曲する基部３０ｂを備えており、中空ホロー部３２内に設けた基板３６にはハンドル３０を上下方向に回動可能に支持する支軸３７が基部３０ｂの先端部３０ｃに設置されている。ハンドル３０は支軸３７を中心に上下方向に回動可能であり、ハンドル受け部１９ｂの見込み面１９ｂａにはハンドル３０の回動を許容する開口部３８が形成されている。開口部３８は断面ラッパ状に形成されており、ハンドル３０は開口部３８の範囲で回動可能である。
【００１８】
ハンドル３０に形成された先端部３０ｃは、中空ホロー部３２から枠部１９ｃに形成した穴部１９ｄを通って中空枠部３３内に突出している。
また、中空ホロー部３２はハンドル３０の取付部に設けた開口部３８を通して室内側に連通しており、しかもその上下端部が図示しないシール部材で気密にシールされるか金属上框１７と金属下框１８の面に当接していること等で屋内側空気の圧力で満たされた内圧空間Ｐに保持される。
【００１９】
スライダー３４は枠部１９ｃ内をスライドバー３１と一体に摺動可能であり、その上下方向の中央部には、ハンドル３０の先端部３０ｃを受け入れる凹部を形成した連動突部３４ａが突出形成されている。そのため、ハンドル３０を回動させると先端部３０ｃで係合する連動突部３４ａを介してスライダー３４がスライドバー３１と一体に連動して上下動する。しかも、先端部３０ｃを挟むスライダー３４の上下両側には枠部１９ｃを封止する気密ピース４０がそれぞれ取り付けられている、気密ピース４０は例えばスポンジやゴム等の弾性体で構成されている。
また、枠部１９ｃ内にはハンドル３０で解錠操作するグレモン錠の連動棒(図示せず)が挿通され、この連動棒にスライダー３４及び一対の気密ピース４０を連結して一体化してもよい。
【００２０】
枠部１９ｃとスライドバー３１を備えた中空枠部３３は外圧空間Ｑを形成するが、スライダー３４とその上下の気密ピース４０と枠部１９ｃで囲われた領域はハンドル３０の先端部３０ｃが挿通している穴部１９ｄを通して中空ホロー部３２と屋内に連通する内圧空間Ｐａを形成している。この場合、スライダー３４で形成する内圧空間Ｐａは厳密に屋内側の気圧である必要はなく外気が混入した内圧と外圧の中間の圧力であってもよい。中空ホロー部３２内の内圧空間Ｐも同様である。また、内圧空間Ｐａと内圧空間Ｐはほぼ同一圧力であり外気の圧力より小さい。
また、金属縦框１９のスライダー３４の上方には、後述する小開口規制アーム４２の開閉カム溝４５に摺動可能に嵌合して障子９の閉鎖位置と開放位置を規制する規制部材として規制ピン４３が植設されている。
【００２１】
図５において、吊先側の縦框１２の枠部１９ｃに対向する金属縦枠５ａには回動軸４４が植設され、この回動軸４４には障子９の開放角度を規制する小開口規制アーム４２が回動可能に支持されている。小開口規制アーム４２には規制ピン４３を嵌合させる開閉カム溝４５が形成されている。開閉カム溝４５は例えば略逆Ｚ型に形成されており、規制ピン４３が上側の拡幅穴４５ａ内に位置する場合には障子９は閉鎖位置にあり、下端の終端溝部４５ｂに位置する場合には障子９は所定の小開口位置にある。小開口規制機構は小開口規制アーム４２と規制ピン４３とを備えている。
【００２２】
また、図４（ａ）及び（ｂ）において、吊先側の金属縦框１９におけるスライダー３４と規制ピン４３の間には、中空ホロー部３２の長手方向に直交する方向に進退可能な作動部材４８が中空ホロー部３２に設置されている。この作動部材４８の側部には作動ピン４９が突出している。作動部材４８は枠部１９ｃとスライドバー３１に形成された開口を通して中空枠部３３の外側に突出可能である。
作動部材４８の側部には解除プレート５０が昇降可能に取り付けられ、この解除プレート５０に形成した斜め方向の摺動ガイド溝５０ａには作動ピン４９が摺動可能に嵌合している。しかも、解除プレート５０には弾性部材としてコイルばね５２が取り付けられていて解除プレート５０を上方位置に付勢している。
【００２３】
解除プレート５０には操作レバー５０ｂが形成され、操作レバー５０ｂはハンドル受け部１９ｂの見込み面１９ｂａに形成された開口溝５１内から突出して手動で上下動可能とされている。操作レバー５０ｂは摺動ガイド溝５０ａと作動ピン４９によって、開口溝５１の上端位置で作動部材４８を後退位置に保持し（図４（ａ）参照）、開口溝５１の下端位置で作動部材４８を小開口規制アーム４２と干渉する位置に突出させる（図４（ｂ）参照）。
【００２４】
図４（ａ）に示すハンドル３０の降下位置で障子９が閉鎖位置にあり、図４（ｂ）に示すハンドル３０の上昇位置で障子９が小開口の開放位置にある。
そのため、図４（ａ）において、ハンドル３０を降下位置から図４（ｂ）に示す上昇位置に回動させると、ハンドル３０の先端部３０ｃが下方に回動して先端部３０ｃに係合するスライダー３４がスライドバー３１と一体に下方に移動する。
【００２５】
図４及び図６乃至図８において、スライドバー３１におけるスライダー３４の下方側には略鍵穴型の穴部５５が形成されており、この穴部５５の裏側（見込み面１９ｂａ側）には穴部５５に進退可能なトリガー部材５６が設置されている。穴部５５はスライダー３４に近い側が正方形に近い略四角形状の拡幅穴部５５ａであり、その下側中央に細溝状の縮幅穴部５５ｂが一体に形成されている。
そしてトリガー部材５６は先端側に縮幅穴部５５ｂに嵌入可能な略板状の縮幅凸部５６ａが形成され、その後部には拡幅穴部５５ａに嵌入可能な拡幅凸部５６ｂが一体形成されている。トリガー部材５６の後部には略柱状の凹溝５７が形成されている。この凹溝５７内に弾性体として圧縮状態のコイルばね５８が装着されているため、トリガー部材５６はスライドバー３１の穴部５５に嵌入する方向に付勢されている。
【００２６】
そして、ハンドル３０が下方位置にある場合、スライドバー３１は図４（ａ）に示す上方位置(基準位置)にあり、図８（ａ）に示すように穴部５５の縮幅穴部５５ｂがトリガー部材５６の縮幅凸部５６ａに対向する位置にあるため、縮幅凸部５６ａが嵌入する。また、ハンドル３０を図４（ｂ）に示す上方位置に回動させると、スライドバー３１は図４（ｂ）に示す下方位置に降下するため穴部５５の拡幅穴部５５ａがトリガー部材５６の縮幅凸部５６ａに対向する位置にあるため、縮幅凸部５６ａと拡幅凸部５６ｂが拡幅穴部５５ａに嵌合する。
しかも、トリガー部材５６の拡幅凸部５６ｂが穴部５５の拡幅穴部５５ａ内に嵌入しているとスライドバー３１は下方位置から移動できないため、ハンドル３０は上方位置に保持される。
【００２７】
また、図４及び図７において、吊先側の縦框１２に対向する縦枠５の金属縦枠５ａには、金属縦框１９に設置されたトリガー部材５６に対向する位置にトリガー受け部６０が固定されている。トリガー受け部６０はトリガー部材５６の縮幅凸部５６ａに対向する面にテーパ面６０ａが形成されている。テーパ面６０ａは屋外側から屋内側に向けて次第に肉厚が増大するようにトリガー部材５６側に傾斜している。
そのため、図８（ｂ）に示すように障子９の開放位置でスライドバー３１の穴部５５の拡幅穴部５５ａにトリガー部材５６の拡幅凸部５６ｂが嵌合した状態で、障子９を図７の矢印Ａ方向に閉鎖作動させると、縮幅凸部５６ａがトリガー受け部６０のテーパ面６０ａに当接して次第に後退して拡幅凸部５６ｂが拡幅穴部５５ａから外れるため、スライドバー３１を上方移動可能となる。
なお。縦框１２に設けたスライドバー３１に形成した穴部５５とトリガー部材５６と縦枠５に設けたトリガー受け部６０はロック装置を構成する。
【００２８】
本実施形態による縦辷り出し窓１は上述の構成を備えており、次にその作用を説明する。
図４（ａ）に示すように、障子９を閉鎖させた状態でハンドル３０は下方に位置しており、スライドバー３１は上方位置(基準位置)にある。そのため、図８（ａ）に示すように、穴部５５の下側の縮幅穴部５５ｂにトリガー部材５６の縮幅凸部５６ａがコイルばね５８の付勢力で嵌入して拡幅凸部５６ｂで停止している。この状態で小開口規制アーム４２は図５で実線で示す閉鎖位置に垂下している。
【００２９】
この状態から、図４（ｂ）に示すように障子９を開放させるためにハンドル３０を上方に回動させる。すると、ハンドル３０の連動棒は上枠３及び下枠４から後退し、先端部３０ｃに押されてスライダー３４の連動突部３４ａが下方に連動させられ、スライドバー３１と一体に下方位置に移動する。これによって、図８（ｂ）に示すように、穴部５５がトリガー部材５６の縮幅凸部５６ａに沿って降下し、縮幅凸部５６ａが縮幅穴部５５ｂから拡幅穴部５５ａの位置に至るため、トリガー部材５６はコイルばね５８の付勢力で前進し、拡幅凸部５６ｂが拡幅穴部５５ａ内に嵌合する。
これによって、スライドバー３１は下方位置で固定保持され、ハンドル３０も図４（ｂ）に示す上方位置に固定保持される。
【００３０】
そして、障子９を開放作動させると、図５に示すように、障子９に設けた規制ピン４３で開閉カム溝４５に沿って摺動しながら小開口規制アーム４２を押して障子９を小開口位置まで開放作動させる。小開口位置で規制ピン４３は開閉カム溝４５の下方の終端溝部４５ｂの最奥部でロックされる。
次に障子９を閉鎖させるためには、解除プレート５０の操作レバー５０ｂを開口溝５１内で降下させると解除プレート５０の降下に従って作動ピン４９が摺動ガイド溝５０ａに沿って移動して作動部材４８を突出させる。そして、図５に示すように、作動部材４８は小開口規制アーム４２の下端部を押すことで規制ピン４３を開閉カム溝４５の終端溝部４５ｂの最奥部からずらす。これによって規制ピン４３が開閉カム溝４５の係止位置から外れ、障子９を閉鎖作動させることができる。
なお、連動棒はハンドル３０がトリガー部材５６と穴部５５によってロックされているため、障子９の開閉操作の間、引っ込んだ状態に保持される。
【００３１】
障子９が閉鎖作動で枠体７の縦枠５の近傍に至ると、スライドバー３１の穴部５５から突出しているトリガー部材５６は先端の拡幅凸部５６ｂが金属縦枠５ａに設けたトリガー受け部６０のテーパ面６０ａに当接する。更に障子９を閉鎖作動させるとテーパ面６０ａで押されたトリガー部材５６はコイルばね５８の付勢力に抗して後退し、拡幅凸部５６ｂが穴部５５の拡幅穴部５５ａから外れることでロックが外れ、障子９は閉鎖位置に至る。
これにより、ハンドル３０を上昇位置から下方に回動することでスライドバー３１が上昇し、連動棒も上下方向に突出して上枠３と下枠４に係止する。
【００３２】
上述のように本実施形態による縦辷り出し窓１によれば、障子９の開放時にハンドル３０を上方に回動させた状態で、スライドバー３１の穴部５５の拡幅穴部５５ａにトリガー部材５６の拡幅凸部５６ｂを嵌入させてロックしているため、障子９を閉鎖するまで開閉操作の際に連動棒の移動を規制して引っ込んだ位置に保持できる。そのため、障子９を安全に開閉作動できる。
しかも、連動棒の移動を規制するロック装置は、縦框１２に設けたスライドバー３１に形成した穴部５５とトリガー部材５６と縦枠５に設けたトリガー受け部６０だけであるため、構成が簡単である上に作動も簡単であるため製造コストも低廉である。特に穴部５５は既存のスライドバー３１に形成して対向する位置にトリガー部材５６を設けたので、一層構成が簡単で低廉になる。
【００３３】
なお、本発明による縦辷り出し窓１は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００３４】
例えば、上述した各実施形態では縦辷り出し窓１について説明したが、本発明はこのような構成に限定されるものではなく、横辷り出し窓等の各種の建具のロック装置に本発明を適用してもよい。本発明を横辷り出し窓に適用した場合、ハンドル３０と穴部５５を形成したスライドバー３１とトリガー部材５６は縦框１２に代えて下框や上框等の横框に設置して、トリガー受け部６０は上枠や下枠に設置することで本発明を適用することができる。
小開口規制アーム４２は障子９と枠体７のいずれか一方に設置可能であり、規制ピン４３は他方に設置可能である。また、スライドバー３１はスライド部材に含まれる。
なお、本発明による縦辷り出し窓１等の建具はビル用に限らず一般住宅用の建具等にも採用できる。
【符号の説明】
【００３５】
１  縦辷り出し窓
５  縦枠
５ａ  金属縦枠
７  枠体
９  障子
１２、１３  縦框
１９  金属縦框
１９ｃ  枠部
３０  ハンドル
３２  中空ホロー部
３１  スライドバー
３３  中空枠部
４２  小開口規制アーム
４３  規制ピン
５５  穴部
５５ａ  拡幅穴部
５５ｂ  縮幅穴部
５６  トリガー部材
５６ａ  縮幅凸部
５６ｂ  拡幅凸部
５８  コイルばね
６０  トリガー受け部
６０ａ  テーパ面
【図１】
2017179894.tif 000003
【図２】
2017179894.tif 000004
【図３】
2017179894.tif 000005
【図４】
2017179894.tif 000006
【図５】
2017179894.tif 000007
【図６】
2017179894.tif 000008
【図７】
2017179894.tif 000009
【図８】
2017179894.tif 000010